(57)【特許請求の範囲】
【請求項１】
着用者の視界を確保するヘルメットの前面開口部を、シールドの上下方向の回動により開閉するシールド機構を備え、
前記シールド機構が、
前記ヘルメットの帽体側から該帽体の厚み方向に沿って、外方へ突出するように設けられた嵌合ピンと、
前記シールドに開孔され、該シールドの全閉状態で前記嵌合ピンに嵌合する嵌合孔と、
前記帽体側に、該帽体の厚み方向に沿う支軸を中心に回転自在に設けられ、前記嵌合ピンと前記嵌合孔との嵌合を保持すると共に、前記支軸を中心とする一方向への回転によって嵌合の解除を行う操作子と、
を有するロック機構を具備したヘルメットであって、
前記操作子は、前記支軸の軸方向に沿って前記帽体から外方へ離れる方向に突出自在に軸支され、
前記操作子と帽体側との間に介在され、該操作子の前記一方向への回転に伴って、前記操作子を前記帽体から離れる方向に突出させるように作動する回転突出機構と、
前記操作子の前記一方向への回転を操作する操作部と、
前記シールドの下端縁と対面し、前記操作子の前記一方向への回転によって、前記下端縁を押し上げて、前記シールドを開方向に押し上げる押上面部と、
前記操作子の前記一方向への回転によって、全閉時の前記シールドと前記帽体との間に挿入され、前記操作子の突出に伴って、前記シールドを前記帽体から外方へ離れる方向に押し拡げると共に、前記嵌合ピンに対する前記嵌合孔の嵌合を解除する押出面部と、
を備えていることを特徴とするヘルメット。
【請求項２】
前記回転突出機構が、前記帽体側に設けられた固定接触部と、前記操作子側に設けられ、前記操作子の一方向の回転に伴って、前記固定接触部に接触すると共に、前記固定接触部に案内されて前記操作子の突出方向に移動する移動接触部とを備え、前記固定接触部と移動接触部の少なくとも一方が、前記操作子の突出方向に向かうと共に、前記操作子の一方向の回転方向、且つ前記支軸の周方向に沿って傾斜する傾斜面であることを特徴とする請求項１記載のヘルメット。
【請求項３】
前記操作子は、該操作子の帽体側の面に設定され、前記シールドの閉状態を、該シールドの外側から対面するように保持する保持面部を有することを特徴とする請求項１又は２記載のヘルメット。
【請求項４】
前記操作子が前記支軸に対して傾倒自在に遊嵌合され、前記シールドの閉方向側端部と対面する前記保持面部の端部に、前記シールドの閉方向の回転時に、前記閉方向側端部が接触すると共に、前記シールドを前記保持面部に導く案内面部を備え、前記案内面部は、前記保持面部側から、該保持面部の前記閉方向側端部と対面する端部に向かって、前記保持面部の厚み方向に傾斜するように形成され、前記シールドの閉方向の回転時に、前記案内面部に前記閉方向側端部が接触することで、前記案内面部が前記シールドを前記保持面部に導くと共に、前記保持面部を前記帽体から離れる方向に傾倒させることを特徴とする請求項３記載のヘルメット。
【請求項５】
前記操作子は、前記保持面部に連設され、前記シールドの閉方向の回転時に、該シールドが接触して前記操作部を前記一方向に回転させる回転補助部を更に備えていることを特徴とする請求項３記載のヘルメット。
【請求項６】
前記嵌合ピンの先端面の、前記操作部の前記一方向の回転側に、前記嵌合ピンの軸方向に突出するロックピンが併設され、前記嵌合ピンに対する前記嵌合孔の嵌合が解除された状態で、前記嵌合孔が前記ロックピンに嵌合することで、前記シールドの微開状態を保持するようにされていることを特徴とする請求項１乃至５いずれか１項記載のヘルメット。
【請求項７】
前記操作部の前記一方向の回転、及び前記操作子の傾倒の力に反して復帰するように、前記操作子に付勢力を与える付勢部を備えていることを特徴とする請求項１乃至６いずれか１項記載のヘルメット。
【発明の詳細な説明】
【技術分野】
【０００１】
本発明は、シールドの全閉状態を保持するロック機構を備えたヘルメットに関する。
【背景技術】
【０００２】
シールドの全閉状態を保持するロック機構を備えたヘルメットは、ヘルメットの帽体側から帽体の厚み方向に突設された嵌合ピンと、シールドに開孔され、シールドの全閉状態で嵌合ピンに嵌合する嵌合孔と、帽体の厚み方向に沿う支軸を中心に回転するように帽体側に設けられ、嵌合ピンと嵌合孔との嵌合を保持すると共に、嵌合の解除を補助するための操作子とを有するロック機構を具備したものが知られている。
【０００３】
このロック機構は、嵌合部と突起部との嵌合状態を解除する傾斜面部と、嵌合状態を保持する抑え片とを含む操作子を備え、操作子が、この操作子の回動中心を境にして一方側と他方側に位置させてシールドの下端部に対して交互に接近・離間する方向に回動するように軸支されている、
【先行技術文献】
【特許文献】
【０００４】
【特許文献１】特許第４２１５７９７号公報
【発明の概要】
【発明が解決しようとする課題】
【０００５】
特許文献１の従来技術によると、シールドの閉状態では、押え片がシールドの外側から嵌合ピンに対面しているため、シールドの拡がりを抑えることができる。
【０００６】
また、操作子を傾斜面部がシールドの下端部に近接する方向に回動させることによって、抑え片がシールドの下端部から離間する方向に回動してシールドの拡がりの抑えを解除すると同時に、傾斜面部がシールドの下端部側からシールドと帽体の外面部との間に挿入されて、傾斜面部の傾斜に沿ってシールドを外方へ拡げることができる。
【０００７】
そして、シールドの外方への拡がりによって、嵌合孔が嵌合ピンから抜けてシールドの開方向への回転が可能な状態となり、この状態からシールドの下端部を開方向へ押し上げて回転させることで、シールドを開状態にすることができる。
【０００８】
しかしながら、この特許文献１の従来技術では、シールドを拡げるときに、傾斜面部がシールドの下端部に接触することで行われるため、この傾斜面部のシールドの下端部に対する接触抵抗によって、シールドを外方へ拡げる動作が行い難くなるという問題があった。
【０００９】
また、走行中にヘルメット内の換気を行うために、シールドを僅かに開ける微開状態にすることがあるが、この微開状態にするときに、シールドを外方へ拡げる動作と連続してシールドの下端部を押し上げる動作で行うため、シールドを微開状態にする程度の押し上げ量の調節が難しいという問題があった。
【００１０】
また、シールドを開状態から閉状態にする場合、シールドの閉方向への回転によって、シールドの下端部が嵌合ピンに接触すると共に、シールドが嵌合ピンに乗り上げることでシールドを外方へ拡げるようにしているが、シールドの下端部が嵌合ピンに接触するときに引っ掛かり易く、シールドを嵌合ピンに乗り上げさせ難いという問題があった。
【００１１】
本発明は、このような問題に対処することを課題の一例とするものである。すなわち、シールドを拡げる動作をスムーズに行うことができること、シールドの微開状態を容易に、且つ確実にできること、シールドの開状態から閉状態への移行をスムーズにできること、これによって、シールドの開閉動作、及びシールドの微開状態への動作の容易性を向上できること、等が本発明の目的である。
【課題を解決するための手段】
【００１２】
このような目的を達成するために、本発明によるヘルメットは、以下の構成を少なくとも具備するものである。
【００１３】
着用者の視界を確保するヘルメットの前面開口部を、シールドの上下方向の回動により開閉するシールド機構を備え、前記シールド機構が、前記ヘルメットの帽体側から該帽体の厚み方向に沿って、外方へ突出するように設けられた嵌合ピンと、前記シールドに開孔され、該シールドの全閉状態で前記嵌合ピンに嵌合する嵌合孔と、前記帽体側に、該帽体の厚み方向に沿う支軸を中心に回転自在に設けられ、前記嵌合ピンと前記嵌合孔との嵌合を保持すると共に、前記支軸を中心とする一方向への回転によって嵌合の解除を行う操作子と、を有するロック機構を具備したヘルメットであって、前記操作子は、前記支軸の軸方向に沿って前記帽体から外方へ離れる方向に突出自在に軸支され、前記操作子と帽体側との間に介在され、該操作子の前記一方向への回転に伴って、前記操作子を前記帽体から離れる方向に突出させるように作動する回転突出機構と、前記操作子の前記一方向への回転を操作する操作部と、前記シールドの下端縁と対面し、前記操作子の前記一方向への回転によって、前記下端縁を押し上げて、前記シールドを開方向に押し上げる押上面部と、前記操作子の前記一方向への回転によって、全閉時の前記シールドと前記帽体との間に挿入され、前記操作子の突出に伴って、前記シールドを前記帽体から外方へ離れる方向に押し拡げると共に、前記嵌合ピンに対する前記嵌合孔の嵌合を解除する押出面部とを備えていることを特徴とするヘルメットである。
【００１４】
前記回転突出機構が、前記帽体側に設けられた固定接触部と、前記操作子側に設けられ、前記操作子の一方向の回転に伴って、前記固定接触部に接触すると共に、前記固定接触部に案内されて前記操作子の突出方向に移動する移動接触部とを備え、前記固定接触部と移動接触部の少なくとも一方が、前記操作子の突出方向に向かうと共に、前記操作子の一方向の回転方向、且つ前記支軸の周方向に沿って傾斜する傾斜面であることが好ましい。
【００１５】
前記操作子は、該操作子の帽体側の面に設定され、前記シールドの閉状態を、該シールドの外側から対面するように保持する保持面部を有することが好ましい。
【００１６】
前記操作子が前記支軸に対して傾倒自在に遊嵌合され、前記シールドの閉方向側端部と対面する前記保持面部の端部に、前記シールドの閉方向の回転時に、前記閉方向側端部が接触すると共に、前記シールドを前記保持面部に導く案内面部を備え、前記案内面部は、前記保持面部側から、該保持面部の前記閉方向側端部と対面する端部に向かって、前記保持面部の厚み方向に傾斜するように形成され、前記シールドの閉方向の回転時に、前記案内面部に前記閉方向側端部が接触することで、前記案内面部が前記シールドを前記保持面部に導くと共に、前記保持面部を前記帽体から離れる方向に傾倒させることが好ましい。
【００１７】
前記操作子は、前記保持面部に連設され、前記シールドの閉方向の回転時に、該シールドが接触して前記操作部を前記一方向に回転させる回転補助部を更に備えていることが好ましい。
【００１８】
前記嵌合ピンの先端面の、前記操作部の前記一方向の回転側に、前記嵌合ピンの軸方向に突出するロックピンが併設され、前記嵌合ピンに対する前記嵌合孔の嵌合が解除された状態で、前記嵌合孔が前記ロックピンに嵌合することで、前記シールドの微開状態を保持するようにされていることが好ましい。
【００１９】
前記操作部の前記一方向の回転、及び前記操作子の傾倒の力に反して復帰するように、前記操作子に付勢力を与える付勢部を備えていることが好ましい。
【発明の効果】
【００２０】
このような特徴を有することで本発明は、以下の効果を奏する。すなわち、シールドを拡げる動作をスムーズに行うことができると共に、シールドの微開状態を容易に、且つ確実にでき、且つシールドの開状態から閉状態への移行をスムーズにできる。これによって、シールドの開閉動作、及びシールドの微開状態への動作の容易性を向上できる。
【図面の簡単な説明】
【００２１】
【図１】本発明に係る第一実施形態のヘルメットの側面図であり、シールドの全閉状態を示す。
【図２】図１の要部拡大図である。
【図３】（ａ）は、図２の（ａ）-（ａ）線断面図、（ｂ）は、図２の（ｂ）-（ｂ）線断面図、（ｃ）は、回転突出機構部分の拡大図である。
【図４】シールドの微開状態を示す要部拡大側面図である。
【図５】（ａ）は、図４の（ａ）-（ａ）線断面図、（ｂ）は、図４の（ｂ）-（ｂ）線断面図であり、（ｃ）は、回転突出機構部分の拡大図である。
【図６】嵌合孔の嵌合ピンに対する嵌合が解除された状態を示す要部拡大側面図である。
【図７】図６の（VII）-（VII）線断面図である。
【図８】シールドの閉状態への回転中途状態を示す要部拡大側面図である。
【図９】（ａ）は、図８の（IX）-（IX）線断面図であり、（ｂ）は、（ａ）の要部拡大図である。
【図１０】本発明に係る第二実施形態のヘルメットの要部拡大図であり、シールドの保持面部に対する接触当初を示す。
【図１１】シールドが操作子を下方回転させている状態の要部拡大図である。
【発明を実施するための形態】
【００２２】
以下、本発明に係る第一実施形態のヘルメットＡを図１〜図９に基づいて説明する。
【００２３】
ヘルメットＡは、着用者の視界を確保する前面開口部１１が開口された最外層の帽体１２の内側に衝撃吸収ライナー（図示せず）が、衝撃吸収ライナーの内側に着用者の頭部に対応する頭部内装体（図示せず）及び着用者の両頬部に夫々対応する頬部内装体（図示せず）が装備されてなるヘルメット本体１と、前面開口部１１を開閉するシールド２を有して、このシールド２を上下方向の回転により開閉するシールド機構Ｂを備えている。
【００２４】
シールド機構Ｂは、帽体１２の左右側部に設けられ、左右方向（帽体１２の厚み方向）の軸を有する支軸２０を回転中心として上下回転自在に支持されたシールド２の閉状態を保持するロック機構Ｃを備えている。
【００２５】
ロック機構Ｃは、帽体１２に取付けられたベース部材Ｂ１に突設された嵌合ピンＢ２と、シールド２に開孔され、シールド２の全閉状態で嵌合ピンＢ２に嵌合してシールド２のロック状態を保持する嵌合孔Ｂ３と、嵌合ピンＢ２に対する嵌合孔Ｂ３の嵌合を保持すると共に、嵌合解除を行う操作子３とを備えている。
【００２６】
嵌合ピンＢ２の先端面には、嵌合ピンＢ２の軸と平行な軸を有するロックピンＢ２０が一体に併設されており、このロックピンＢ２０に嵌合孔Ｂ３が掛かった状態で、シールド２が微開状態となるようにされている。
【００２７】
操作子３は、帽体１２に凹設されたスペース１２ａに取付けられており、操作子３の最外面が帽体の最外面とほぼ面一となるようにされている。
【００２８】
操作子３は、ベース部材Ｂ１に突設された支軸Ｂ４に回転自在に支持されており、シールド２の閉状態では、シールド２の外側面２２を抑えることで、シールド２の左右外方への拡がりを防ぎ、上方向に回転させ、突出させることによって、シールド２を左右外方に方向に拡げると共に、嵌合ピンＢ２から嵌合孔Ｂ３を外して、シールド２のロックを解除するようにされている。
【００２９】
操作子３は、シールドのロック解除を操作する操作部３０と、操作部３０と一体に設けられ、操作部３０の上方向（一方向）の回転操作によって、シールド２の下端部２１を押し上げて、シールド２を開方向に押し上げる押上面部３１と、操作子３とベース部材Ｂ１との間に設けられ、操作部３０の上方向の回転操作によって、操作子３を帽体１２から外方（帽体１２から離れる方向）に突出させる回転突出機構３２と、操作子３に一体に設けられ、操作部３０の上方向の回転操作によって、全閉時のシールド２とベース部材Ｂ１の間に挿入されると共に、操作子３の帽体１２から外方への突出に伴って、シールド２を外方に押し拡げる押出面部３３と、操作子３のベース部材Ｂ１側に設定され、シールド２の閉状態を、シールド２の外側から対面するように保持する保持面部３４とを備えている。
【００３０】
操作部３０は、シールド２の下端部２１の下方に位置し、外側面に指を当てる指当て面３０ａが確保され、操作部３０の回転操作は、指当て面３０ａに指を当てて行うようにされている。
【００３１】
押上面部３１は、操作部３０の上端側に形成された段差部分であり、操作部３０の上方向のシールド２の下端部２１、及び下端部２１の下方に突出形成した接触突起２１ａに接触することで、シールド２を開方向に押し上げるようにされている。
【００３２】
回転突出機構３２は、ベース部材Ｂ１に設けられ、支軸Ｂ４が同軸で貫通する筒状の凹部３２ａの内周に設けられた複数の傾斜面（固定接触部）３２ｂと、操作子３に設けられ、支軸Ｂ４が同軸で貫通すると共に、凹部３２ａに同軸で嵌合する筒状の凸部３２ｃの先端に設けられた複数の傾斜面（可動接触部）３２ｄとから構成されている。
【００３３】
傾斜面３２ｂは、操作部３０の上方向の回転操作方向に沿う周方向に沿って、外方へ向かう方向に傾斜するように形成され、傾斜面３２ｄは、傾斜面３２ｂに対面したとき、傾斜面３２ｂの傾斜と適合して接触する方向に傾斜するように形成されている。
【００３４】
この回転突出機構３２は、操作部３０の上方向への回転操作によって、傾斜面３２ｄが傾斜面３２ｂに案内されながら、この傾斜面３２ｂを上ることで、操作子３を外方へ突出させることができる。
【００３５】
傾斜面（固定接触部）３２ｂと傾斜面（可動接触部）３２ｄの一方を突起としてもよい。
【００３６】
筒状の凹部３２ａと凸部３２ｃとには、支軸Ｂ４の直径よりも大径として、支軸Ｂ４が貫通する貫通孔３２ｅが設けられ、この貫通孔３２ｅ内には、貫通孔３２ｅを貫通する支軸Ｂ４の周りにスプリング（付勢部）Ｓが挿入されている。
【００３７】
スプリングＳは、操作子３の外方へ突出する動作に対して、操作子３にベース部材Ｂ１側への付勢力が作用するようにされ、且つ操作子３の上方向の回転に対して、下方向へ回転する付勢力が作用するようにされている。
【００３８】
すなわち、操作部３０の上方向の回転操作に伴って、上方向に回転すると共に、外方へ突出する操作子３に対して、操作子３が下方向に回転すると共に、ベース部材Ｂ１側に戻る方向へのスプリングＳの付勢力が作用するため、操作部３０を上方向への回転操作する指を離せば、操作子３が下方向に回転し、シールド２を保持する位置（操作部３０の上方向の回転操作前の位置）に復帰させることができる。
【００３９】
また、スプリングＳの付勢力によって、操作子３がシールド２を保持する位置で保持されるので、人為的な操作子３の上方向への回転操作以外では、操作子３によるシールド２の閉状態の保持を維持して、上方向の回転を防ぐことができるようにされている。
【００４０】
押出面部３３は、押上面部３１からシールド２の下端部２１方向に向かって突設されており、回転突出機構３２の動作による操作子３の外方への突出に伴って、シールド２の内側面に接触して、シールド２を外方へ拡げるようにされている。
【００４１】
すなわち、操作部３０の上方向への回転操作による回転突出機構３２の動作に伴って、押出面部３３がシールド２を外方へ押し拡げ、操作部３０の上方向への回転操作に伴って、押上面部３１がシールド２を開方向へ押し上げることによって、嵌合ピンＢ２に対する嵌合孔Ｂ３の嵌合を解除することができる。
【００４２】
保持面部３４は、支軸Ｂ４を境として操作部３０の後方に連設され、シールド２の外方に配置された抑え板３４ａのシールド２側の面に確保されており、閉状態でシールド２の外側面２２に対面することで、シールド２の外方への拡がりを抑えて、嵌合ピンＢ２に対する嵌合孔Ｂ３の嵌合を保持するようにされている。
【００４３】
また、保持面部３４は、操作部３０の上方向への回転操作によって、下方に回転することで、シールド２の外側面２２に対して非対面状態となり、シールド２の外方への拡がりの抑え、及び嵌合ピンＢ２に対する嵌合孔Ｂ３の嵌合の保持を解除するようにされている。
【００４４】
保持面部３４は、保持面部３４の中途から上端に向けて厚みが薄くなるように形成された円弧状の案内面部３４ｂを有しており、閉方向に回転するシールド２の下端部２１が案内面部３４ｂに接触することで、保持面部３４を外方へ押し拡げる力が与えられるようにされている。
【００４５】
そして、図８、及び図９に示すように、閉方向に回転するシールド２の下端部２１が保持面部３４を外方へ押し拡げるとき、貫通孔３２ｅの直径と支軸Ｂ４の直径との差を利用して、保持面部３４が外方へ傾き、この傾きによって、保持面部３４と嵌合ピンＢ２に設けられたロックピンＢ２０の先端との間に、シールド２の通過空間を形成することができる。
【００４６】
以下、ロック機構Ｃによるシールド２の開閉動作を説明する。図２、図３は、操作子３がシールド２の閉状態を保持した状態であり、嵌合孔Ｂ３が嵌合ピンＢ２に嵌合し、この嵌合状態を、保持面部３４がシールド２の外側面２２と対面して、シールドの外方への拡がりを防止することで保持している。
【００４７】
次に、図４、図５に示すように、図２、及び図３の状態から、操作部３０を上方向に回転操作（図４の上向き実線矢印）することで、保持面部３４がシールド２の外側面２２に対して非対面状態になると共に、回転突出機構３２が作動する。
【００４８】
回転突出機構３２が作動すると、操作子３が外方へ突出すると共に、押出面部３３がシールド２を外方へ押し拡げ、更に、押上面部３１がシールド２の下端部２１を上方に押し上げることによって、嵌合孔Ｂ３が嵌合ピンＢ２から抜けてロックピンＢ２０に掛かる。
【００４９】
嵌合孔Ｂ３が嵌合ピンＢ２から抜けてロックピンＢ２０に掛かったときに、操作部３０から指を離すことで、スプリングＳの付勢力によって操作子３が下方へ回転（図４にの下向き仮想線矢印）し、これによって、保持面部３４がシールド２の外側面２２に対面して、嵌合孔Ｂ３がロックピンＢ２０に掛かった状態を保持すると共に、シールド２の微開状態を保持できる。尚、本発明では、微開状態を、保持面部３４がシールド２の外側面２２に対面した状態に限定するものではなく、保持面部３４がシールド２の外側面２２に対して非対面状態の微開状態であってもよい。
【００５０】
次に、図６、図７に示すように、図４、図５の状態から、再び、操作部３０を上方向に回転操作（図６の上向き実線矢印）することで、保持面部３４がシールド２の外側面２２に対して非対面状態になると共に、回転突出機構３２が作動する。
【００５１】
回転突出機構３２が作動すると、操作子３が外方へ突出すると共に、押出面部３３がシールド２を外方へ押し拡げ、更に、押上面部３１がシールド２の下端部２１を上方に押し上げることによって、嵌合孔Ｂ３がロックピンＢ２０から抜け、これによって、シールド２を全開状態に回転させることができる。
【００５２】
次に、図８、図９に示すように、開状態のシールド２を閉方向に回転操作（図８の下向き実線矢印）することで、シールド２の下端部２１が保持面部３４の案内面部３４ｂに接触し、この接触に伴って保持面部３４が外方へ傾いて、保持面部３４とロックピンＢ２０との間に、シールド２の通過空間を形成できる。
【００５３】
更に、シールド２を閉方向に回転させることで、嵌合孔Ｂ３が嵌合ピンＢ２に嵌合されると共に、スプリングＳの付勢力によって、保持面部３４が傾いた状態から元の位置（シールド２の外側面２２に対面する位置）に戻り、図２に示すように、操作子３がシールド２の閉状態を保持した状態にできる。
【００５４】
このようなヘルメットＡによると、シールド２を外方に拡げる動作をスムーズに行うことができると共に、シールド２の微開状態を容易に、且つ確実に保持でき、且つシールド２の開状態から閉状態への移行をスムーズにできる。これによって、シールド２の開閉動作、及びシールド２の微開状態への動作の容易性を向上できる。
【００５５】
以下、本発明に係る第二実施形態のヘルメットＡ’を図１０、図１１に基づいて説明する。このヘルメットＡ’は、第一実施形態のヘルメットＡの操作子３の動作のように、保持面部が外方に傾倒せず、操作子３が支軸Ｂ４の軸方向に沿って突出する動作するのみの構成、及び案内面部３４ｂがない構成であって、この構成以外の構成については、第一実施形態のヘルメットＡと同様であるので、重複する部位についての説明は、同符号を付すことにより省略する。
【００５６】
回転補助部３５は、シールド２の閉方向の回転時に、最初に下端部２１が接触すると共に、下端縁２１が接触することで、操作子３を開方向（操作部３０が上方向）に回転させることができる、保持面部３４の上端に設定されている。
【００５７】
また、回転補助部３５は、操作子３の開方向への回転で、回転突出機構３２を、操作子３が支軸Ｂ４の軸方向に沿って突出するように動作させることになり、この回転突出機構３２の動作によって、保持面部３４とロックピンＢ２０の先端面との間に、シールド２の通過空間を形成することができる。
【００５８】
したがって、操作子３が支軸Ｂ４の軸方向に沿って突出する動作するのみの構成のロック機構Ｃを備えたヘルメットＡ’によっても、シールド２を閉方向に回転させることができると共に、保持面部３４がシールド２の外側面２２に対面してシールド２の拡がりを抑える位置まで回転させることができる。
【００５９】
また、シールド２の微開状態にする操作部３０の上方向への回転操作、及びシールド２を全開状態まで回転できる状態にする操作部３０の上方向への回転操作は、第一実施形態のヘルメットＡのロック機構Ｃと同じ操作で行うことができる。
【００６０】
尚、本発明におけるヘルメットＡ、Ａ’では、スプリングＳを備えないロック機構Ｃとしてもよく、この場合、操作子３には、操作部３０の上方向への回転操作に対して、下方向へ戻る方向の回転に付勢力が作用しないので、シールド２が微開状態に至ったとき、シールド２が全開状態まで回転できる状態に至ったときには、人為的に操作部３０を下方向へ回転操作する。
【符号の説明】
【００６１】
Ａ：ヘルメット  Ａ’： ヘルメット  Ｂ：シールド機構  Ｃ：ロック機構
Ｂ２：嵌合ピン  Ｂ２０：ロックピン  Ｂ３：嵌合孔  Ｂ４：支軸
１１：前面開口部  １２：帽体  ２：シールド  ２１：下端縁  ２２：外側面
３：操作子  ３０：操作部  ３１：押上面部  ３２：回転突出機構
３２ｂ：傾斜面（固定接触部）  ３２ｄ：傾斜面（可動接触部）
３３：押出面部  ３４：保持面部  ３４ｂ：案内面部  ３５：回転補助部
Ｓ：スプリング（付勢部）
【要約】      （修正有）【課題】シールドの開閉動作、及びシールドの微開状態への動作の容易性を向上する。【解決手段】操作子３の操作部３０の上方向への回転操作で、操作子３が帽体１２から離れる方向に突出させることで、シールド２を帽体１２から離れる方向に拡げる一方、シールド２を開方向に押し上げることによって、シールド２の全閉状態の保持を解除する。【選択図】図４【図１】
0005807093.tif 000002
【図２】
0005807093.tif 000003
【図３】
0005807093.tif 000004
【図４】
0005807093.tif 000005
【図５】
0005807093.tif 000006
【図６】
0005807093.tif 000007
【図７】
0005807093.tif 000008
【図８】
0005807093.tif 000009
【図９】
0005807093.tif 000010
【図１０】
0005807093.tif 000011
【図１１】
0005807093.tif 000012